Podtech/llm-jp-corpus-v4-ja_patent huggingface dataset:
(57)【要約】【課題】熟練者でなくても、超音波発生器を使ってピアノの整音作業を実施する事により、短時間で均一な音作りが出来るピアノを整音する方法を提供する。【解決手段】超音波発生器の超音波ホーン先端部１を、ピアノハンマーフェルト面２に接触させて超音波をフェルトに当て、フェルト繊維同士の結束を緩め、繊維間の隙間を作る事によりハンマーフェルトの緊張を緩和させて行うピアノを整音する方法。【選択図】  図１
2006309093.tif 000002
【特許請求の範囲】
【請求項１】
超音波発生器の超音波ホーン先端部を、ピアノハンマーフェルト面に接触させて超音波をフェルトに当て、フェルト繊維同士の結束を緩め、繊維間の隙間を作る事によりハンマーフェルトの緊張を緩和させて行うピアノを整音する方法。
【発明の詳細な説明】
【技術分野】
【０００１】  本発明はピアノを整音する方法に関するものである
【背景技術】
【０００２】  ピアノは鍵盤を弾くことにより内部機構を通じてピアノハンマーにて弦を叩いて発音する楽器である。このピアノハンマーは羊毛を圧縮した物すなわちフェルトにて作られており、使用されることによって弦に当たる部分が圧縮され、他の部分より硬くなってくる。ゆえに音色も硬くなり、音楽的な許容範囲を超えたときに針を以てフェルトに刺し、繊維の緊張を緩和し音色を回復させる方法を取っていた。
【発明の開示】
【発明が解決しようとする課題】
【０００３】  針を刺すことでハンマーフェルトの繊維同士の結束を緩め、繊維間の隙間を作り均一に繊維の緊張を緩和させる事は、かなりの熟練を要する作業である。針を刺す位置、深さ、回数、ひいては針の太さや先端の形状までもが選択肢に入り、熟練者であっても作業に時間が掛かり、針の刺し方によっては音楽的に発音不可の状態に陥る危険性もある。
【課題を解決するための手段】
【０００４】  本発明ピアノを整音する方法は、上記課題を解決するためになされた物であり、この針の代わりに超音波を利用してピアノの整音をする方法である。【０００５】  本発明ピアノを整音する方法は、超音波の動力的応用（音波は縦波であり圧力の変動である。超音波もしかり。すなわち波長の節ごとに圧を発生する動力的要素を持つものである。）を利用して、超音波発生器の超音波ホーン先端部を、ピアノハンマーフェルト面に接触させて超音波をフェルトに当て、フェルト繊維同士の結束を緩め、繊維間の隙間を作る事によりハンマーフェルトの繊維の緊張を緩和させて行う事を特徴とする。【０００６】  超音波の特性には、まず第１に気体・液体・固体に関わらず媒質内部への良好な透過性があると言うこと、第２に光や電波に比べて遅い伝搬速度であると言うこと、第３に周波数が高くなればなるほど減衰性は増すが指向性や分解能は逆に良くなると言うことがある。超音波の動力的応用を使った整音作業を容易にしているのは上記３つの特性を持つからであり、ピアノハンマーフェルトの繊維の緊張を緩和させて行うピアノを整音する方法に適する物である。【０００７】  本発明で用いる超音波発生器は市販の小型の物であり（低消費電力）、圧電体を用いた超音波振動子と前部に超音波ホーンを接合した一般的な物でよい。
【発明の効果】
【０００８】    熟練者でなくても、超音波発生器を使ってピアノを整音する方法を実施することにより、短時間で均一なピアノの整音作業が出来る事が可能となった。
【発明を実施するための最良の形態】  本発明の実施の一例を、図面を用いて説明する。本実施例のピアノ本体は、通常１本のピアノハンマーに対して叩くピアノ弦の数を、低音部１本又は２本、中音部と高音部は３本の弦を保有する一般的な楽器を使用した。
【実施例１】
【０００９】  本実施例では、超音波発生装置として超音波発生周波数を２７ＭＨＺ消費電力８Ｗの物を用いた。高音部のピアノハンマーフェルトのピアノ線に当たるところ３本弦中、音色の硬い１本に超音波発生器の超音波ホーンをピアノハンマーフェルトの接弦部位（Ａ）に接触させてピアノハンマーの中心に向かって約２秒発射した。その結果、発射された部位はフェルトの緊密度が緩和され他の２本の弦と硬さが同じ様になり、ピアノハンマーでこの３本弦を叩いた場合音楽的な目的とする音色のバランスを取る事が出来た。
【実施例２】
【００１０】  本実施例では、超音波発生装置として超音波発生周波数を２ＭＨＺ消費電力７．７Ｗの物を用いた。本実施例では、実施例１よりピアノハンマーフェルトが全体に硬い場合、これを柔らかくして音楽的な音の伸びや明るさを出すのを目的として行った。超音波発生器の超音波ホーンを、ピアノハンマーフェルトの中心に向かって直角に部位（Ｂ）に接触させ、ピアノハンマーフェルト接弦部位（Ａ）を通ってピアノハンマーフェルト部位（Ｂ′）までを約１秒間に１ｃｍの速さで移動しながら超音波を発射した（図１）。図に於いて３はハンマーウッド、４はハンマーシャンクを示し、５はピアノハンマーを示す。同様にピアノハンマーフェルト側面部位（Ｄ）並びに（Ｄ′）からピアノハンマーフェルト接弦部位（Ａ）に向かって約１秒間に１ｃｍの速さで移動しながら超音波を発射した。その結果、当初の目的を達成する事が出来た。
【実施例３】
【００１１】  本実施例では、超音波発生装置として超音波発生周波数を５０ＫＨＺ消費電力８Ｗの物を用いた。本実施例では、実施例２よりもさらに音楽的な音の深さや広がりを出すことを目的として行った。超音波発生器の超音波ホーンを、ピアノハンマーフェルトの中心に向かって直角に部位（Ｂ）に接触させ、ピアノハンマーフェルト接弦部位（Ａ）を通ってピアノハンマーフェルト部位（Ｂ′）までを約１秒間に１ｃｍの速さで移動しながら超音波を発射した（図１）。同様にピアノハンマーフェルト側面部位（Ｄ）並びに（Ｄ′）からピアノハンマーフェルト接弦部位（Ａ）に向かって約１秒間に１ｃｍの速さで移動しながら超音波を発射した。その結果、当初の目的を達成する事が出来た。
【産業上の利用可能性】
【図面の簡単な説明】
【００１２】
【図１】本発明を実施している状況を示す説明図。
【図２】ピアノハンマーの部位を示す説明図。
【符号の説明】
【００１３】１  超音波発生器の超音波ホーン
２  ピアノハンマーフェルト
３  ハンマーウッド
４  ハンマーシャンク
５  ピアノハンマー
Ａ  ピアノハンマーの接弦部位
Ｂ、Ｃ、Ｂ′、Ｃ′  Ａと同じ面のピアノハンマーの部位
Ｄ、Ｄ′  ピアノハンマーの側面部位
【図１】
2006309093.tif 000003
【図２】
2006309093.tif 000004
(57)【要約】      （修正有）【課題】消費者の志向に対しては選択余地の少ない製造メ−カ−の高価な宝飾付き眼鏡フレ−ムをを購入すること無く、現在使用中の又、消費者のお気に入りのアクセサリ−、ピアスを素材に関係なくそのまま消費者自ら取付け交換、活用出来る経済的、合理的な且つ安全な眼鏡フレ−ムの機構の発明。【解決手段】眼鏡のつる手（テンプル）１の先端、若しくは、側面にパイプ穴溝２を掘りその溝にゴム系の樹脂３を充填させて、消費者の愛用、若しくは選択購入された市販品で針付きのアクセサリ−ピアス等であれば、針部をこのゴム系樹脂が充填されている溝に差し込み、固定化する。ゴム系質の伸縮性から、幾度となく脱着取り替えが出来る機構を持った眼鏡フレ−ムの発明である。この機構を持った眼鏡フレ−ムであれば、世代層、所得層、お仕着せのメ−カ−商品に関係なく御洒落が楽しめられ、経済的且つ合理的なアクセサリ−取付け脱着眼鏡フレ−ムの機構である。【選択図】図３
2006309099.tif 000002
【特許請求の範囲】
【請求項１】
眼鏡フレ−ムに装飾としてピアスを等を取付け、服装に合わせた眼鏡装飾アクセサリ−の脱着交換出来る機構
【発明の詳細な説明】
【発明の詳細な説明】
【産業上の利用分野】
【０００１】この発明は、ますます個性を求められるジュエリ−、及びアクセサリ−等、装飾眼鏡に於て、新たに宝飾を購入する事無く現在使用中の愛用ピアスをそのまま眼鏡に取付け脱着交換して楽しめられる無駄無く経済的利用の発明である。
【背景技術】
【０００２】従来の宝飾付眼鏡フレ−ムは眼鏡製造の段階に消費者の志向に関係なく特定の既製宝飾を取付け固定化しなければならなかった。
【本発明が解決しようとする課題】
【０００３】従来次のような欠点があった。
（イ）  従来宝飾付き眼鏡を購入される消費者は既に特定の僅かに限定されてる宝飾物が付いている眼鏡の中からしか選択が出来なかった。
（ロ）  個々の消費者がそれぞれの好みの宝飾物と眼鏡のデザインとの別々の選択は出来ず、眼鏡製造メ−カ−の特定のお仕着せの宝飾付眼鏡の枠の中しか選択は出来なかった。
（ハ）  消費者のお気に入りの手持ちのピアス等を保有していても他のカ所への利用価値が考えられなく、その都度新たに購入しなければならなかった。
本発明は、これらの欠点を除くためになされたものである。
【問題を解決するための手段】
【０００４】眼鏡フレ−ムのつる手『テンプル』（１）の先端、若しくは、側面にパイプ穴溝（２）を掘り抜く、その中にパイプ穴溝（２）の中にシリコン樹脂等（３）若しくは液体ゴム系統の樹脂（３）を流し込み、このパイプ穴溝に充填させ、乾燥固形化させる。又は、パイプ穴に合致した（３）の形状でシリコン樹脂等、又は液体ゴム系統樹脂で予め固形化したものを挿入してつる手『テンプル』のカット面で面一にカットしてもかまわない。この樹脂層に針付きのピアス（５）差し込む機構の手段である。
【作用】
【０００５】図１の（１）のつる手『テンプル』に掘り抜いた（２）のパイプ穴溝に充填された樹脂層（３）の中に向かって、図２の針付きピアスの針部（５）を差し込み、このピアスを固定化させるものである。
従って、ピアス（４）のデザインは針（５）さえ付いてあれば如何なるデザインのピアスでも再利用可能である。
【発明の効果】
【０００６】図３はこの発明機構を理解容易に描いたものである。従来、眼鏡製造メ−カ−の、お仕着せ宝飾付き眼鏡フレ−ムは非常に高価な物と思われがちであり、購入される消費者はおのずと世代と所得層が限定されていた、更に種類の選択も消費者不在のメ−カ−思考商品の中からの限わがあった事に対して、この発明は、別に高価な宝飾物に限らず、針付きピアスであれば、ガラス素材でもプラスティック素材でも個々の消費者が市販されている価格に関係なく好みのアクセサリ−を活用出来る。更に差し込まれるカ所にはゴム系統の樹脂が充填されているために針の多少の太さに関係なく何回も異なるピアスアクセサリ−を付け替え出来る非常に効率の良い簡素化されたピアスアクセサリ−脱着眼鏡フレ−ム機構の発明である。
【図面の簡単な説明】
【図１】  本発明のつる手の機構部分図
【図２】  本発明に活用するアリセサリ−ピアスの図である。
【図３】  本発明の取付けを示す図である。
【符号の説明】
（１）  つる手（テンプル）
（２）  パイプ穴溝
（３）  シリコン樹脂等、ゴム系の充填層
（４）  ピアスアクセサリ−頭部
（５）  ピアスアクセサリ−針部
【図１】
2006309099.tif 000003
【図２】
2006309099.tif 000004
【図３】
2006309099.tif 000005
(57)【要約】      （修正有）【課題】算数を家庭などで学ぶために操作が簡単で確実な算数学習機を提供する。【解決手段】学習者が学習しようとする算数の加減乗除の選択やその単元および難易レベルの演習問題を設定すると、設定した条件の演習問題が表示される。こたえ表示操作端４を操作すると表示装置６に表示されている問題の答えが追表示されるので、自習者の答えと合っているかどうか確認することができる。またヒヤリングを選択した場合は、演習問題が表示装置６に表示された後、音声発生装置８によりその演習問題が読み上げられ、更にその答えを表示装置６が追表示するのに合わせて、音声発生装置８はその答えを読み上げる。また、学習の初めから終わりまでの所要時間がタイマー７により表示されるので、学習者は学力の到達レベルを知ることができる。【選択図】図１
2006309095.tif 000002
【特許請求の範囲】
【請求項１】
算数学習機にあって学習者が学習しようとする算数の加減乗除の選択やその単元および難昜レベルの演習問題を設定することができ、設定した演習問題を表示装置に表示し、学習者がスイッチを操作すると表示されている演習問題にその答えが追表示される算数学習機。
【請求項２】
算数学習機にあって算数の学習のため演習問題を学習者の操作スイッチにより表示装置に表示した後、学習者は音声発生装置によりその演習問題を読み上げる声を聞くことが出来る。更にその演習問題の答えを表示装置に追表示されるのにあわせて答えを読み上げる声を学習者が聞くことが出来る算数学習機。
【発明の詳細な説明】
【技術分野】
【０００１】  本発明は、学習者に合った算数演習問題を設定して学習する算数学習機に関する。
【背景技術】
【０００２】  算数を学習するためには、学校の教材，その他市販されている問題集などにより勉強している。
【発明の開示】
【発明が解決しようとする課題】
【０００３】  算数の学習は学校の先生に教えられる他に、家庭にあっては親などから教えられ学んでいる。算数の学習は学習者に適した教材が必要である。
【課題を解決するための手段】
【０００４】  学習者に適した算数学習機を提供することを目的にすることである。【０００５】  算数学習機は加減乗除の選択や単元また難易レベルの演習問題設定を、ボタン操作で表示装置に表示させ、学習者が答えをだして、その答えが正しいかを確認のために操作スイッチを押すと答えが表示される。【０００６】更に、操作スイッチを押して、別の演習問題に進むことが出来る算数学習機である。【０００７】  演習問題に取り組み、演習に要した時間を計測して表示できる装置が設けてあるため、自分で学習し達成されたレベルを確かめることが出来る。【０００８】  また、演習問題を表示装置に表示した後に音声発生装置から演習問題を読み上げる声が聞こえ、その問題の答えを追表示させるのに合わせて問題の答えを読み上げる声を学習者が聞くことが出来る算数学習機である。
【発明の効果】
【０００９】  市販の算数の問題集により勉強するのも良い方法であるが、本算数学習機は学びたい演習問題を素早く学習者に提供できる。【００１０】  また、目でだけでなく耳からも学習できる学習環境を作り出せるため学習効果は大きい算数学習機である。
【発明を実現するための最良の形態】
【００１１】  本発明の実施の形態をフローチャート図に基ずいて説明する。  演習問題選択操作端１により学習する本人が、学びたい演習問題を選択するための操作端で＋、−、×、÷から選択し、更に、学ぶ単元（Ａ，Ｂ，Ｃ，〜）と難易レベル（１，２，３、〜）を設定する。また学習環境選択操作端（自習又はヒアリング）２により自習又はヒアリングのどちらかを選択できる。
【００１２】  自習を選択した場合の学習方法を説明する。学習スタート操作端３を操作すると、表示装置６に上記で設定した条件の演習問題が表示されるので、学習者はその演習問題を考えて答えをだして、紙にメモするか、頭に記憶しておき、こたえ表示操作端４を操作すると表示装置６に表示されている問題の答えが追表示されるので自習者が答えが正しいかどうか確認する。この様にして、次々と問題を解いて選択設定した単元、難易レベルの演習問題を学習する事が出来る。また、学習の初めから終える迄の間の所要時間がタイマー７に表示されるので、学習者が学力の到達レベルを認識できる。また、学習後の選択操作端５で、更に繰り返して学習するのか、再設定をするのか、学習を終了するのかを選択できる。
【００１３】  上記の自習と違って、ヒアリングを選択した場合は、学習スタート操作端３を操作すると、設定した演習問題を表示装置６に表示された後、音声発生装置８よりその問題を読み上げる声を学習者は聞くことができ、更にその演習問題の答えを表示装置６に表示されている問題に追表示されるのに合われて答えを読み上げる声を学習者は聞くことが出来る。学習後にまた、上記の学習を更に繰り返すのか、再設定をするのか、学習を終了するのかを学習後の選択操作端５により選択できる。
【図面の簡単な説明】
【００１４】
【図１】算数学習機の機能のフローチャート
【符号の説明】
【００１５】      １  演習問題選択操作端      ２  学習環境の選択操作端（自習又はヒアリング）      ３  学習スタート操作端      ４  答え表示操作端      ５  学習後の選択操作端      ６  表示装置      ７  タイマー      ８  音声発生装置      ９  スタート    １０  終了
【図１】
2006309095.tif 000003
(57)【要約】【課題】    ベビーカーや車椅子はラジオかＣＤプレーヤーでも持ち込まない限り音楽は鳴らしてくれない。快い音を立てる装置を装着すれば子供あやしにもなるし音楽テラピーにもなる。その方法は、形は、音は、などを課題とした。【解決手段】    長さや太さの異なる多数のピアの線を夫々内側に配した両車輪を撥羽付固定軸で結び間を筒で覆い軸にハンドルを付けたものをベビーカーや車椅子の下部に取り付けてハンドル操作で路面を転がして音楽を鳴らす＜回転オルゴール筒＞や、音を子供や椅子利用者により近づける方法として弾き方式の回転機構を逆に取り回転筒を固定筒にして椅子上部に取り付け、固定撥羽付軸を回転撥羽付軸にしてベルトでベビーカーや車椅子の車輪に連結して回転させる＜固定オルゴール筒＞方式などの手段を取った。【選択図】    図１
2006309094.tif 000002
【特許請求の範囲】
【請求項１】
振ると筒の中のピアノ線が音を立てる玩具を応用してより音楽的、より効果的に発展させるため長短多数のピアノ線を内側に配する両車輪を撥羽付固定軸で結び間を筒で覆った装置をベビーカーや車椅子の下部に取り付け、ハンドル操作で路面に付けて転がして音楽を奏でさせ子守歌や音楽テラピー効力を発揮させる＜回転オルゴール筒＞。
【請求項２】
音を子供や椅子利用者により近づける意図の元に請求項１の回転筒を固定筒、固定軸を回転軸にして椅子上部に装着させ、撥羽付軸をベビーカー又は車椅子の車輪にベルトで連結して回転させる＜固定オルゴール筒＞。
【発明の詳細な説明】
【技術分野】
【０００１】    本発明は、振ると筒の中のピアノ線が音を出す玩具を応用してより音楽的、より効果的に発展させベビーカーや車椅子に取り付けて子守歌や音楽テラピーの役をさせる方式や形式に関する。
【背景技術】
【０００２】    ベビーカーや車椅子はＣＤプレーヤーなどを持たない限り音楽は奏でない。
【発明の開示】
【発明が解決しようとする課題】
【０００３】    振ると筒の中のピアノ線がコロンコロンと快い音を立てる通称ガラガラと呼ばれる子供あやしの玩具があるが、これをオルゴールのように音楽的にしてベビーカーや車椅子に取り付けてはどうか、方法は、形は、場所はなどを課題とした。
【課題を解決するための手段】
【０００４】    長さや太さの異なる多数のピアノ線を夫々内側に配した両車輪を撥羽付固定軸で結び両車輪間を筒で覆って軸先にハンドルを付けたものをベビーカーや車椅子の下部に取り付けてハンドル操作で路面に付けて転がす＜回転オルゴール筒＞や音を子供や椅子利用者により近づける方法として弾き方式の回転機構を逆にとり、回転筒を固定筒にして椅子上部に取り付け、固定撥羽付軸を回転撥羽付軸にしてベビーカー又は車椅子の車輪にベルトで連結して回転させる＜固定オルゴール筒＞などを解決手段とした。
【発明の効果】
【０００５】    本発明は、上述のように構成されているので、次に記載する効果を奏する。
請求項１の＜回転オルゴール筒＞は快い音楽を奏でて子供や椅子利用者だけでなく押す人や通行人の心も和らげてくれる上、注意呼びかけの音にもなるので危険を避ける効果も生まれた。さらに請求項２の＜固定オルゴール筒＞にまで発展すれば音は子供や椅子利用者により近くなりテラピー効力を増す効果を出した。異なる音楽を奏でるオルゴール筒を用意して時により取り替えればマンネリ化が避けられる。
【発明を実施するための最良の形態】
【０００５】    発明の実施の形態について図面を参照して説明する。
図１に見るように、ピアノ線ｃを仕組んだオルゴール筒ｂは車輪ａａの間に固定されていて車輪と一緒に回転し、ハンドルｆに連結する固定軸ｅの撥羽ｄｄでピアノ線ｃたちを掻き鳴らす。これを図２のようにハンドルｆをハンドルホルダーＤでベビーカーや車椅子の車体骨組Ｃに取り付けてハンドルを上下して路面に付けたり離したりする。このとき立てる音を椅子利用者に近づける意図の元に機構を改造したものが図３に示す＜固定オルゴール筒＞方式で、車輪を取った固定オルゴール筒Ｅを椅子上部に取り付けベルトＨで回して撥羽でピアノ線を弾いて音楽を奏でさせ、ベルト受ＦからカバーＧのボタン穴Ｊを通って外に出るプッシュ式ボタンＩでオルゴールを静止／作動させたり筒取り替えをする。
【図面の簡単な説明】
【０００６】
【図１】  ＜回転オルゴール筒＞詳細見取図。
【図２】  図１の＜回転オルゴール筒＞を引出し線矢印先の円内の拡大断面図に示すホルダーでベビーカーに取りつけた図。
【図３】  ＜固定オルゴール筒＞をベルトでベビーカー車輪軸に連結した、カバーを含む全体図である。
【符号の説明】
【０００７】  ａ  （回転オルゴール筒）車輪
ｂ  （同上）オルゴール筒
ｃ  （同上）ピアノ線
ｄ  （同上）撥羽
ｅ  （同上）固定軸
ｆ  （同上）ハンドル
ｇ  （オルゴール筒）取り替え部
Ａ  回転オルゴール筒
Ｂ  ベビーカー車輪
Ｃ  ベビーカー骨組
Ｄ  ハンドルホルダー
Ｅ  固定オルゴール筒
Ｆ  ベルト受
Ｇ  カバー
Ｈ  ベルト
Ｉ  ボタン
Ｊ  ボタン穴
【図１】
2006309094.tif 000003
【図２】
2006309094.tif 000004
【図３】
2006309094.tif 000005
(57)【要約】【課題】従来のカラーコンタクトは、単に虹彩部分を着色したものであった。【解決手段】本コンタクトレンズは、瞳孔部分と虹彩部分を大きく見せるものである。また、虹彩を単なる着色に留まらず吸収剤や変色効果を用いて温度や角度  等によって色が変化するようにしたコンタクトレンズに関する。条件によって色が変化するので、これ一つで何通りもの変化を楽しめる。また、通常より瞳孔を大きく見せることで心理学で実証されているようにより一層、魅力的に見えせる。【選択図】図１
2006309101.tif 000002
【特許請求の範囲】
【請求項１】
カラーコンタクトの請求方法であり、装着者の瞳孔の外径部分を大きく見せるカラーコンタクトを提供するものである。
【請求項２】
カラーコンタクトの瞳孔部分を大きく見せるとともに、虹彩の色を単なる着色に留まらず体温や温度、光、照明、角度など様々な条件によって色が変化するようにしたコンタクトレンズに関する。
【発明の詳細な説明】
【技術分野】
【０００１】  本発明は、角膜に装着して使用するコンタクトレンズに関する。
【背景技術】
【０００２】  従来のコンタクトレンズには、カラーコンタクトとそうでない物がある。
【特許文献１】
【非特許文献１】
【発明の開示】
【発明が解決しようとする課題】
【０００３】  以上に述べた従来のカラーコンタクトは、単に虹彩部分を着色したものであった。【０００４】  本発明のコンタクトレンズは、魅力的に見せるコンタクトレンズを得ることにある。
【課題を解決するための手段】
【０００５】  上記課題を解決するため本発明における第１のコンタクトレンズは、従来のコンタクトレンズが虹彩部分の大きさや色などに関するものであるのに対し、この発明のポイントは瞳孔部分を大きく見せ、より魅力的な表情に見せるものである。また、瞳孔だけでなく虹彩部分も大きくするとより異なった印象を与える。更に、虹彩の色を単なる着色に留まらず体温や温度、光、照明、角度など様々な条件によって変化させる。【０００６】  上記目的を達成するために、レンズ周りに擬似瞳孔を施し、虹彩に吸収剤や変色効果  等を用いて体温や温度、光、照明などの変化によって、虹彩の色を変化させるものである。【０００７】  上記の課題解決手段による作用は次の通りである。すなわち、これを使用することで瞳孔が大きく見え、心理学で実証されているようにより魅力的に見せる。また、一つのコンタクトレンズで複数色の変化を楽しめる。
【発明の効果】
【０００８】  以上に詳述したように本発明のコンタクトレンズは、瞳孔を大きく魅力的に見せると共に紫外線を吸収し、更には変色効果  等多様な変化を楽しめる。また、心理学で実証されているように瞳孔が通常よりも大きく見えることでより一層、魅力的に見える。
【発明の実施をするための最良の形態】
【０００９】  以下、本発明の実施の形態を図１に基づいて説明する。
【００１０】  図において１はコンタクトレンズ本体で、レンズ２、擬似瞳孔３、虹彩着色部４とからなる。
【実施例１】
【００１１】  図１のコンタクトレンズ１は、レンズ２の瞳孔周りに擬似瞳孔３を施したものである。更に瞳孔周辺に吸収剤や色が変化する虹彩を設けることもできる。
【図面の簡単な説明】
【００１２】
【図１】本発明の実施形態を示すコンタクトの正面図
【符号の説明】
【００１３】１  コンタクトレンズ              ３  擬似瞳孔
２  レンズ                        ４  虹彩着色部
【図１】
2006309101.tif 000003
(57)【要約】【課題】最近、各種紙媒体上で目にすることが多くなったバーコード、QRコードは、バーコードリーダーを利用することで記録されたデータに容易に直接アクセス出来て利便性はきわめて高いと言える  一方で、名刺等、面積の限られる小さな紙媒体に配置する場合はデザイン上での制約を受けずにはいられなかった。結果として対象印刷媒体のデザインの自由度は低かったと言える。【解決手段】通常、バーコードは白地と黒もしくは濃色の２色を組み合わせたものがほとんどである。  技術仕様上は必ずしも上記２色のみの組み合わせである必要は無く、高反射率と低反射率の部分を２つに明確に区別して認識できればバーコードとしての機能は成立するので、複数色で塗り分け迷彩柄を模したデザインにしたり、画像、イラストを墨塗り部分の形でマスクして配置する等、その技術仕様の範囲内でデザイン性を持たせたことを特徴とするバーコードのデザイン手法。【選択図】図３
2006309287.tif 000002
【特許請求の範囲】
【請求項１】
バーコード、二次元バーコード、QRコードの墨塗りに相当する部分を複数色に塗り分ける等、画像、イラスト、文字等を潜像として配置してデザインに自由度を持たせたことを特徴とするバーコードのデザイン。
【請求項２】
画像、イラスト、文字等の上に、バーコード、二次元バーコード、QRコードの白い余白に相当する部分に高反射率確保を目的とした加工を施すことにより、画像等を配置する際のデザインに自由度を持たせたことを特徴とするバーコードのデザイン。
【発明の詳細な説明】
【技術分野】
【０００１】
本発明は、バーコード、QRコードのデザイン利用に関するものである。
【背景技術】
【０００２】
従来のバーコード、QRコードを紙媒体に印刷する場合、白地に黒墨もしくは濃色のコードで色分けされていた。
二進法を大原則とするデジタル技術特有のものだから、白黒はっきりつける物だと決めつけた旧来的、石頭的な解釈と、確実な読み込みのためにもっともコントラストが鮮明に確保出来るためと言う理論的な解釈のためにその組み合わせがほとんどであった。
原理的には色分けされ反射率の異なる２つの面の幅や面積、形状を認識してそれをデジタルデータに変換しているシステムだから、反射率の異なる２つの面が明確に定義されておれば、必ずしも白と黒と言う色の組み合わせでなくとも問題なくデータの判読は出来る。
同じく、通常は白地のままにされている高反射率部分も低反射率部分との対比で明確に異なる反射率が確保出来れば、必ずしも白色であることを要求されない。
さらに、  高反射率、低反射率部分はともに、同一ブロック内に複数の色が混在していても同様に認識が可能である。
また、その利便性からQRコードを各種印刷物に刷り込む機会が増えて来ているが、面積的な制約によってデザイン的には全く未消化としか言えないものであった。
【発明の開示】
【発明が解決しようとする課題】
【０００３】
近年、名刺に電話番号等を記録したQRコードを印刷する機会が多くなったが、一般的なサイズ、９１×５５ミリメートルの限られた名刺の面積の中に判読性を考慮した場合のサイズ約２０ミリメートル四方のQRコードを配置するためにはデザイン上の制約が多かった。
名刺に限らず、バーコード、QRコードを既存ペーパーメディアに配置する場合は、デザイン的制約が不可避だった。
【課題を解決するための手段】
【０００４】
以上の課題を解決するために、第一発明は、バーコード、QRコードの墨塗り（低反射率）部分をブロックごとに色分け、もしくは墨塗り部分に絵柄を配置したバーコードデザインである。
また、同時に通常は白抜きに処理される高反射率部分に画像濃度を２０パーセント以下程度に抑えた上記画像を配置して画像の判読性をあげてもバーコードの認識は可能である。
【０００５】
又は予め配置した画像の上に透過率２０パーセント程度以下の白色インクを高反射率とすることを要求される部分の形状にオーバープリントすることで同様の結果が期待出来る。この場合はより複雑な画像を配置することが可能となり、デザインの自由度が増す。
【発明の効果】
【０００６】
本発明の効果により名刺、パッケージ等限られた面積の印刷物上におけるバーコードデザインの自由度が向上する。
バーコード下に配置した画像に対しモザイクをかけた様なビジュアル効果が得られる。
意外性あるデザインに起因するアイキャッチの効果と話題性からバーコード内データへのアクセス率が向上する。
【発明を実施するための最良の形態】
【０００７】
まず、バーコード下に配置する画像は全体的に均一な明度の低コントラストの画像でである事が望ましい。
そして、別途専用ソフトで生成したバーコードから分離した墨（低反射率）部分をマスクとして配置して上記配置画面を切り抜き、低反射率部分として定義する。
そして、その下に上記の低反射率部分より一回り大きな余白部分を配置するか、上記配置画像と同様のものを透明度２０パーセント以下程度に加工したものを配置して高反射率部分として定義する。
【実施例１】
【０００８】
図１は本発明の一実施形態である。
バーコード画像２の大きさに合わせて用意した配置画像１を、別途生成したバーコード画像２から分離生成した墨部分３をマスクとして配置画像１の上に配置、低反射率部分を生成する。
別途余白部分４を下に配置し高反射率部分として定義する。
そして、低反射率部分と高反射率部分を合わせてバーコード５を生成する。
【実施例２】
【０００９】
図2は本発明のもうひとつの実施形態である。
予め配置した画像６に別途生成したバーコード画像２から抽出した低反射率部分７に相当する部分に８０パーセント程度の白インク、正面に対し効率よく反射するニスをオーバープリント設定して、高反射率部分を定義することによって、画像８が生成される。
【００１０】
「実施形態の効果」
この実施形態１、２によれば、バーコード面に別途映像情報を重ねることが出来、情報密度の高密度化出来るとともに、デザインの自由度が増す。
また、実施形態２によればベースとなるデザインに与える影響を最小限に抑えながらバーコードを配置することが出来る。
【００１１】
「他の実施形態」
実施例２では白色インクのオーバープリントのよって高反射率部分を定義していたが、代わりに正面方向からの光を効率的に反射する様に調整された透明色のホログラムシートをブロック形状に貼付けることで高反射率部分を生成しても良い。
この場合はホログラムシートの性質次第では配置画像6に与える影響をより少なくして、バーコードを配置出来る。
【図面の簡単な説明】
【００１２】
【図１】本発明の一実施形態を示す略図である。
【図２】請求項2による本発明の実施形態の平面図である。
【図３】本発明の概念による実施例である。
【００１３】
１  配置画像。
２  バーコード画像。
３  バーコード低反射率ブロック部分。
４  バーコード高反射率部分。
５  合わせて生成されたバーコード。
６  写真等の配置画像。
７  バーコードから抽出した高反射率部分。
８  バーコードを合成された画像。
【図１】
2006309287.tif 000003
【図２】
2006309287.tif 000004
【図３】
2006309287.tif 000005
(57)【要約】【課題】  ねじ付け作業が迅速にできる木ねじを提供すること。【解決手段】  木ねじ１の本体にねじ部１１の最前端を本体の最尖端１０の前に少し伸び出る様に形成する。【選択図】  図３
2006194329.tif 000002
【特許請求の範囲】
【請求項１】
その本体に一つのねじ部を設け、
前記ねじ部の最前端が本体の最尖端を超過することを特徴とする、
木ねじ。
【請求項２】
前記ねじ部の最前端と前記本体の最尖端との間に一段の切り刃を持ち、前記切り刃は更に前記本体の最尖端の前方に伸びて、前記切り刃が前記ねじの回転中心線と偏倚する、請求項１に記載の木ねじ。
【請求項３】
その本体に一つのねじ部を設け、
前記ねじ部は前記本体の最尖端よりも少し前方に伸びる最前端を持つ、
木ねじ。
【請求項４】
前記ねじ部の最前起点は前記本体の最尖端との間に一段の偏心の切り刃を持ち、前記切り刃はその最前端が前記本体の最尖端の前方に伸び出て、前記切り刃が前記本体の回転中心線から偏倚する、請求項３に記載の木ねじ。
【発明の詳細な説明】
【技術分野】
【０００１】
本発明は木材用の木ねじに関するものである。
【背景技術】
【０００２】
図１と図２に示すように従来の木ねじは、その本体（１）にねじ部（１１）が設けてあり、その前端は一つの錐形部となっていて、本体（１）の最尖端（１０）と、ねじ部（１１）の最前端との間にある一定の距離がある。即ちねじ部（１１）の前端起点は前端の錐状部の中にあり、最尖端（１０）ではない。
【０００３】
そのため、従来の木ねじを各種の工作物にねじ込む時は、ねじ部（１１）が直ちにねじ切りの作用を発生せずに、ある深さまで前進してからねじ（１１）の前端起点（１１０）が工作物の中に入って始めて、回転ねじ孔切り作用を発生する。この様に従来の木ねじを工作物にねじ込む時は直ちにねじ孔切りの作用を発生しない。その理由はねじ部（１１）の前端起点（１１０）が錐状部の中に位置して、決して最尖端（１０）に達していないからである。そのために従来の木ねじは迅速なねじ込みをすることができない。
【発明の開示】
【発明が解決しようとする課題】
【０００４】
本発明は上述した従来の木ねじの欠点を改善するために成されたもので、その目的とするところは迅速なねじ込み不可能の点を改善することにある。
【課題を解決するための手段】
【０００５】
本発明の木ねじはそのねじ部の前端起点を少なくともその本体の最尖端まで伸ばすか、或は最尖端を超過させて、ねじの前端起点と前端部との間に一偏心のねじ刃を形成させる。
【０００６】
すなわち、本願の木ねじに係る第１発明は、その本体に一つのねじ部を設け、前記ねじ部の最前端が本体の最尖端を超過することを特徴とするものである。
本願の木ねじに係る第２発明は、前記第１発明において、前記ねじ部の最前端と前記本体の最尖端との間に一段の切り刃を持ち、前記切り刃は更に前記本体の最尖端の前方に伸びて、前記切り刃が前記ねじの回転中心線と偏倚することを特徴とするものである。
本願の木ねじに係る第３発明は、その本体に一つのねじ部を設け、前記ねじ部は前記本体の最尖端よりも少し前方に伸びる最前端を持つことを特徴とするものである。
本願の木ねじに係る第４発明は、前記第３発明において、前記ねじ部の最前起点は前記本体の最尖端との間に一段の偏心の切り刃を持ち、前記切り刃はその最前端が前記本体の最尖端の前方に伸び出て、前記切り刃が前記本体の回転中心線から偏倚することを特徴とするものである。
【０００７】
本発明の木ねじのねじ部の前端起点は最尖端まで、或いはそれを超過しているか、工作物にねじ込まれる時はただちにねじ切りの作用を発生するのでねじ付け作業が迅速に進展する。
【発明の効果】
【０００８】
本発明に係る木ねじは次の特有の効果を奏する。
＜１＞木ねじは、ねじ部の最前端の切り刃が工作物にねじ込まれる瞬間から孔開けの作業を開始するので、ねじ付け作業を迅速に行えて、時間を節約することができる。
＜２＞木ねじの構造が簡単で、実用性に優れている。
＜３＞産業上の利用性が極めて高く、経済価値も高い。
【発明を実施するための最良の形態】
【０００９】
以下、添付図面を参照して本発明の好適な実施の形態を詳細に説明する。
図３，４，５に本発明に係る木ねじの第一実施例を示す。
この木ねじは木ねじ（１）の本体にその最尖端（１０）を超過するねじ部（１１）を設けると共に、ねじ部（１１）の最前端はねじ本体の最尖端（１０）との間に一段の切り刃（１２）を持たせる。この切り刃（１２）はねじ本体（１）の回転中心線から少し偏倚している。そして、ねじ（１）を工作物にねじ込む瞬間、最初に切り刃（１２）が直接工作物と接触することで、ねじ込み孔開け作業を迅速に行うことができて、木ねじを早く工作物にねじ込むことができる。
【００１０】
更に図６，７，８に本発明の第二実施例に係る木ねじを示す。本例は木ねじ（１）の本体にねじ部（１１）の最前端が本体の最尖端（１０）を超えて少し前まで伸びていて、最尖端（１０）との間に一段の切り刃（１２）を形成し、この切り刃（１２）はねじ（１）の回転中心線から偏倚している。それでこの木ねじを工作物の中にねじ込ませるその瞬間に、この切り刃（１２）がまっさきに直接工作物と接触するので、ねじ込み孔開け作業を迅速に行うことができて、木ねじを早く工作物にねじ込むことができる。
【図面の簡単な説明】
【００１１】
【図１】従来の木ねじの側面図である。
【図２】図１に示した木ねじの右側面図である。
【図３】本発明の第一実施例に係る木ねじの側面図である。
【図４】図３に示した木ねじの右側面図である。
【図５】図３に示した木ねじの上面図である。
【図６】本発明の第二実施例に係る木ねじの側面図である。
【図７】図６に示した木ねじの右側面図である。
【図８】図６に示した木ねじの上面図である。
【符号の説明】
【００１２】
１・・・・・木ねじ
１０・・・・本体の最尖端
１１・・・・ねじ部
１２・・・・切り刃
１１０・・・従来の木ねじの本体の最尖端
【図１】
2006194329.tif 000003
【図２】
2006194329.tif 000004
【図３】
2006194329.tif 000005
【図４】
2006194329.tif 000006
【図５】
2006194329.tif 000007
【図６】
2006194329.tif 000008
【図７】
2006194329.tif 000009
【図８】
2006194329.tif 000010
(57)【要約】【課題】容器漏れを検査するさい、高価なガスか容器を水没させて空気漏れを人の目で、確認していた。気泡が小さい場合人の目では見逃してしまうことがあった。【解決手段】容器漏れを水没させると気泡が検査装置等に付着してしまうことがある。その為には気泡が付着すると思はれる内側に超音波装置を取り付け振動を与えると気泡が水面に向けて浮上する。その気泡を、レーザー発光素子と受光素子を用いて効率よく精度の高い検査を行うことができるようになった。【選択図】図５
2006194850.tif 000002
【特許請求の範囲】
【請求項１】
容器漏れ検知方法において、容器を液体に沈め、高圧気体を封入し、容器漏れがあった場合、発生する気泡を自然光と区別する為に変調をかけたレーザー光を気泡に当てそこで発生する散乱光を検知する受光素子を使用し、気泡を検知することを特徴とする容器漏れ検知方法。
【請求項２】
請求項１における検知の工程で、液中の容器や検査装置に気泡が付着した場合、超音波を使用し付着した気泡を分離することを特徴とする検査装置。
【発明の詳細な説明】
【技術分野】
【０００１】この発明は容器漏れ検出方法及び、容器漏れ検出方法に関する。
【背景技術】
【０００２】従来、容器漏れの検査はガスを使用した加圧式、もしくは容器を水没させて気泡の有無を人間の目で確認していた。
【発明が解決しようとする課題】
【０００３】しかしながら上記の技術によれば、ガスを使用する場合、精度はあるものの高価であるのに対し、容器を水没させて気泡の有無を人間の目にたよっての検査は気泡が小さい場合、見逃してしまうことがあり同時に検査工程の自動化ができない一因となっていた。そこでこの発明は人の目に頼らず電子的センサーで検知することにより、見逃しを無くし自動化した検査工程を可能とする装置を提供することを課題とする。
【発明を解決するための手段】
【０００４】上記の発明するため請求項１の発明はレーザー素子と受光素子を使った装置である。容器に漏れがあった場合、これを液体に沈め高圧気体を封入すると気泡が発生し、水面に向けた浮かびあがってくる。この時、気泡にレーザーを照射すると散乱光が発生する。その散乱光を受光素子を使って検知することを特徴とする装置。
請求項２の発明は請求項１における検知の工程で、容器から発生した気泡が表面張力により容器、検査装置に付着したため、請求項１の発明した装置で検知できないことがある。この問題を解決するため、請求項１の装置の内部に超音波装置を取り付け気泡を検知しやすくすることを特徴とする装置。
【発明を実施するための形態】
【０００５】第一発明の原理図を図１に示す。この発明の原理はレーザー光・・・Ｌ、気泡がレーザーによって照射された地点・・・Ｃ、散乱光・・・Ｒ、から構成される。ＬとＲの角度は１５０度。第一発明の実施形態を図２に示す。容器から濡れた気泡・・・Ｋは浮力が働く為、水面に向けて浮上する。あらかじめレーザー発光素子・・・ＬＳによって照射されたＫはＣからＲとなって放出され受光素子・・・ＲＳにより感知される。
第二発明の原理図を図３に示す。表面張力により板・・・Ｕに付着したＫを振動を与えて振り払う。
第二発明の実施形態を図４に示す。容器の漏れから発生したＫは浮力により浮上し、表面張力によりＵに付着する。Ｕの内側に超音波装置・・・ＣＨを取り付け振動を与えることにより、Ｋは第一発明のＣへ向けて浮上する。
【実施形態の効果】
【０００６】第一、第二発明により、高価なガスや人間の目に頼らなくとも、容器漏れの気泡は板にを伝って、水面に向けて浮上しレーザー光によって照射された気泡は散乱光として受光素子に検知されるようになった。
【図面の簡単な説明】
【０００７】
【図１】第一発明の原理図である。
【図２】第一発明の実施形態の説明図である。
【図３】第二発明の原理図である。
【図４】第二発明の実施形態の説明図である。
【図５】第一発明と第二発明の実施形態である。
【符号の説明】
【０００８】ＬＳ・・・レーザー発光素子
Ｌ・・・・レーザー光
ＲＳ・・・受光素子
Ｒ・・・・散乱光
Ｃ・・・・気泡がレーザーによって照射された地点
Ｋ・・・・気泡
ＣＨ・・・超音波装置
Ｕ・・・・薄い板
【図１】
2006194850.tif 000003
【図２】
2006194850.tif 000004
【図３】
2006194850.tif 000005
【図４】
2006194850.tif 000006
【図５】
2006194850.tif 000007
(57)【要約】      （修正有）【課題】流水で導水路を廻転させて動力エネルギーを得る方法を提供する。【解決手段】導水口２と水路車３の間で無駄な漏水がなく、効率的に水資源を利用する方法として、導水した流水により水路を廻転させて動力エネルギーを得る。この水路車は中心軸から動力エネルギーを得るのではなく、水路車外側面へギヤーリング６又はチェーンを取り付ける事により、動力エネルギーをギヤーリング又はチェーンを介して採る。水路車外側面の円周が比較的大きく取れるので、大きな増速比を得る事が出来る。【選択図】図１
2006194228.tif 000002
【特許請求の範囲】
【請求項１】
斜めに取り付けた円筒形の水路内部に複数の密着したラセン状の羽根を取り付け水路ごと廻転させるため、それを支持する枠内に納め、廻転を可能にし、水力エネルギーを動力エネルギーに転換することを特徴とする水路車。
【発明の詳細な説明】
【技術分野】
【０００１】この発明は、水力の位置エネルギーを動力エネルギーに転換するため水車を使用しているが水路を廻転させ動力エネルギーを採取する方法に関する
【背景技術】
【０００２】従来、水力の位置エネルギーを動力エネルギーに転換する場合、各種の水車を活用しているがこれらの水車は総べて水車（ランナー）の中心部に軸を取り付け、その軸の廻転により動力エネルギーを採取している。この水車に共通している点は、廻転部（ランナー）と固定部（ケーシング）間に必ず隙間があり、無駄な漏水をしている。【０００３】水力のエネルギーを採取する従来の水車では、無効な漏水が多い。また水車の中心に軸を取り付け中心軸から動力エネルギーを採っている。これを改め、水路車外側面に取り付けたギヤーリング又はチェーンにより動力エネルギーを採取することを考案した。
【発明の開示】
【発明が解決しようとする課題】
【０００４】しかしながら以上の技術によれば、動力エネルギーを採る水車（ランナー）（廻転部分）と、流水を導く導水路（固定部分）が現状の方法では漏水を無くすことは不可能である。そこでこの発明は、水車（ランナー）部と導水路（ケーシング）部を密着固定させ、漏水を無くす事、そのため導水路部分を円筒形にし、内部にラセン状の羽根を複数取り付け漏水の無い様に密着させて、流水と供に水路を廻転させることを課題とする。【０００５】又、前記水路を安定に廻転し動力エネルギーを採るための支持枠が必要である。図２の▲１２▼▲１３▼に示す様、キャスターによる水路車の廻転を保持しながら、転動防止をしている。
【課題を解決するための手段】
【０００６】以上の課題を解決するために、この発明は円筒内に複数のラセン状の羽根の付いた水路を作りそれを支持枠内に納めキャスター様の支持点で支える。廻転可能にすることを特徴とする円筒形の水路車である。一方、流入口から流入する流水は導水口へ流入し、導水口の流出部分は水路車内側面内に納めてあるため流水を全部取り入れられる。【０００７】ランナーとケーシングが一体化したためランナーの中心に軸を取り付けて動力エネルギーを取り出す必要が無く、水路車の胴体外側面にギヤーリング又はチェーンを取り付け歯車により動力エネルギーを採取することを特徴とする水路車である。
【発明の効果】
【０００８】この発明により、有効落差の水量を無駄の漏水が無く有効に使用することが出来る。【０００９】水路車外側に取り付けたギヤーリングに接続する歯車間に於いて数倍の増速比を得る事が容易である。
【発明を実施するための最良の形態】
【００１０】この発明の一実施形態を図１及び図２に示す。廻転する水路車とそれを支持する支持枠との合成で動力エネルギーを採取する事が出来る。
【実施例】
【００１１】この実施形態によれば図１に示す、▲１▼取水口より流入した流水は▲２▼導水口に導かれる。導水口の出口は▲３▼水路車の内側へジョウゴ状に付いているため全水量が▲３▼水路車内部へ入っていく▲３▼水路車内には▲５▼水路車内部にラセン状の羽根が複数付いているため、その羽根と水路車壁面間に於いて水の重力による廻転力を得る▲３▼水路外側部には▲４▼廻転リングがあり▲４▼は▲７▼水路車支持枠及び▲１０▼廻転リング支持キャスター取付枠内のキャスターで支えられてため回転を始める。流水は▲８▼排水口に導かれるが、排水口の入口は▲３▼水路車の出口より大きく重ね取付けしてあるため全水量を受けて▲９▼排水路へ排出される。動力エネルギーは▲６▼ギヤーリング又はチェーンにより伝達される。【００１２】従来は中心軸から動力エネルギーを採っていたのが水路車外側面より採るため流水に支障は無い（中心軸の軸受けが無い）。試作品により試運転を継続している。
【産業上利用の可能性】
【００１３】試作品による実施形態では低落差の水路に設置するのに最適であり、一体化しているため取り付け・取り外しが簡単に出来ることから携帯に便利で、実用化が容易である。
【図面の簡単な説明】
【００１４】
【図１】水路車の総体的な据付状況を表している。水路車支持枠内に設備が納まっているため携帯に便利である
【図２】図１の補足として、水路車（廻転部分）と支持枠（固定部分）に分けて図示してある。
【符号の説明】
【００１５】▲１▼取水路
▲２▼導水口
▲３▼水路車
▲４▼廻転ランプ
▲５▼水路車内部ラセン羽根
▲６▼ギヤーリング
▲７▼水路車支持枠
▲８▼排水口
▲９▼排水路
▲１０▼廻転リング支持キャスター取付枠
▲１１▼動力伝達用歯車
▲１２▼廻転リング支え用キャスター
▲１３▼水路車の前後動防止キャスター
【図１】
2006194228.tif 000003
【図２】
2006194228.tif 000004
(57)【要約】      （修正有）【課題】やさしい間断風で疲労感等を癒すうちわ自動機を提供する。【解決手段】安定台１を設け、後部に電気コード２を設けた、更に、台上に支之塔３を設け、その上に、機関部カバー４を設け、次に、回転強並弱スイッチ５を設け、そして、上下運動部６を設け、次に、左右回転部７を設けた、そして、反復運動シヤフト８を設け、次に、うちわ安着板９を設け、又、うちわ止金１０を設け、次に、機関部カバー４の中に、電気モーター機１１を内造した、更に、うちわ反復運動機１２も内造した、次に、うちわ親心１３を締めてから、回転強並弱スイッチ５の何れか押して反復運動を繰返す、うちわ自動機親心である。【選択図】図１
2006194229.tif 000002
【特許請求の範囲】
【請求項１】
安定台（１）を設け、後部に電気コード（２）を設けた、そして、支之塔（３）を設け、その上に機関部カバー（４）を設けた、次に、安定台（１）の前部に、回転強並弱スエッチ（５）を設け、次に、支之塔（３）の上部に上下運動部（６）を設けた、そして、その上、前部に左右廻転部（７）を設けた、次に、機関部カバー（４）の中から反復運動シヤフト（８）を設けたその前部に、うちわ安着板（９）を設け、その先部に、うちわ止め金（１０）を設けた、次に、機関部カバー（４）の中に、電気モーター機（１１）を設けた、その前に、うちわ反復運動機（１２）を設けた、そして、うちわ安着板（９）に、うちわ親心（１３）を取付けて完了、反復運転を繰返す、うちわ自動機親心である。
【発明の詳細な説明】
【発明の属する技術分野】
【０００１】  この発明は、機関部から出た、シヤフト上のうちわ安着板（９）に、うちわ親心（１３）の柄をのせて、うちわ止金（１０）を締め付けてから、回転強並弱スエッチ（５）の何れか押して、反復運転を繰返す、うちわ自動機親心に関するものである。
【従来の技術】
【０００２】  従来扇風機はあるが、反復運動を繰返すうちわ自動機親心の類はない。
【発明が解決しようとする課題】
【０００３】  これは次のような欠点があった。2006194229.tif 000003
る。  本発明は、これ等の欠点を除くためになされたものである。
【課題を解決するための手段】
【０００４】安定台（１）を設けて、後方に電気コード（２）を設けた、そして、支之塔（３）を設け、その上に、機関部カバー（４）を設けた、次に、安定台（１）の前部に、回転強並弱スエッチ（５）を設け、次に、支之塔（３）の上部に、上下運動部（６）を設けた。そして、その前部に左右廻転部（７）を設けた、次に、機関部カバー（４）の中から、反復運動シヤフト（８）を設けた、その前部に、うちわ安着板（９）を設け、その前部に、うちわ止金（１０）を設けた、次に、機関部カバー（４）の中に、電気モーター機（１１）を取付けた、その前部に、うちわ反復運動機（１２）を取付けた、そして、うちわ安着板（９）に、うちわ親心（１３）を取付けて完了、うちわ自動機親心の風を回転強並弱スエッチ（５）の何れか押して、反復運転を繰返す。  本発明は、以上のような構成からなるうちわ自動機親心である。
【発明の実施の形態】
【０００５】  うちわ安着板（９）に自分の体感に合致した、うちわ親心（１３）の柄をのせて、うちわ止金（１０）を下げて締めつけて、回転強並弱スエッチ（５）の何れか押して、うちわ親心（１３）の風を反復運動する、この風は自然に似た爽快な風で繰返す。
【実施例】
【０００６】  以下、本発明の実施例について説明する。（イ）  安定台（１）を設け、後に電気コード（２）を設けた、そして、台上に支之塔（３）を設け、その上に機関部カバー（４）を設けた。（ロ）  次に、安定台（１）の前に、運転強並弱スエッチ（５）を設け、次に、支之塔（３）の上部に、上下運動部（６）を設けた。そして、その上前部に、左右回転部（７）を設けた。（ハ）  次に、機関部カバー（４）の中から、反復運動シヤフト（８）を設けた、その前部に、うちわ安着板（９）を設け、その先に、うちわ止金（１０）を設けた。（ニ）  次に機関部カバー（４）の中に、電気モーター機（１１）を設けた、その前に、うちわ反復運動機（１２）を設けた、（ホ）  そして、うちわ安着板（９）に、うちわ親心（１３）の板を載せて、うちわ止金（１０）を締めきって準備が整った。  本発明は以上のような構造で、これを使用するときは外気や室内気温が高くなって、不快感になったとき等である。先づ、電気コード（２）を差込んで接続する。１般品うちわが大中小硬軟等々、多種多様にある、その中から自分の体感に合致した確かな品定めをして、うちわ安着板（９）にうちわ親心（１３）の柄をのせて、うちわ止金（１０）を締めてから、回転強並弱スエッチ（５）の何れかを押して、反復運動をする。うちわ親心の風は自然に似た爽快感は先づ心の安らぎとなる、更に疲労感等を癒すだらう。
【発明の効果】
【０００７】（イ）  うちわ自動機親心の風は、優しい間断風で、自然の爽快感である、先づ、心の安らぎとなる、広く疲労感外を癒す特徴がある。（ロ）  １般品のうちわには大中小や硬軟等々沢山の品々があるので自分の体感に合致した品々を品定めする事が大切中の大切である、従って、爽快感は先づ、心の安らぎとなる更に、幼才等の安眠や高令の方々まで広く心を癒されるだろう、2006194229.tif 000004
の高くなった快適の製品等も提供したい。
【図面の簡単な説明】
【図１】本発明の斜視図である。
【図２】本発明の一部を欠いた図面である。
【図３】本発明の他の実施例を示す斜視図である。
【符号の説明】
１  安定台２  電気コード３  支之塔４  機関部カバー５  回転強並弱スエッチ６  上下運動部７  左右回転部８  反復運動シヤフト９  うちわ安着板１０  うちわ止金１１  電気モーター機１２  うちわ反復運動機１３  うちわ親心
【図１】
2006194229.tif 000005
【図２】
2006194229.tif 000006
【図３】
2006194229.tif 000007